(57)【要約】  本発明は、ネットワーク切替方法、ネットワークデバイス及び端末デバイスを提供する。該方法は、ネットワークデバイスがチャネル品質状態情報を取得することと、該ネットワークデバイスが第１のサービスが完了し又は者端末デバイスのサービスネットワークが該第１のサービスをサポートしないと決定する場合、該チャネル品質状態情報に基づいて、該サービスネットワークを第１のネットワークから該第２のネットワークへ切り替えるかどうかを決定することとを含み、該チャネル品質状態情報は、第２のネットワークのチャネル品質を反映する。本発明の実施例において、第１のサービスが完了し又は端末デバイスのサービスネットワークが該第１のサービスをサポートしない場合、ネットワークデバイスにより該ネットワークデバイスのサービスネットワークを第１のネットワークから該第２のネットワークへ切り替えるかどうかを決定する。そして、ユーザが５Ｇ ＮＲネットワークを最大限使用することを保証することができ、さらに、ユーザ体験を向上させることができる。
2021509546.tif 000002
【特許請求の範囲】
【請求項１】
ネットワークデバイスがチャネル品質状態情報を取得することと、
前記ネットワークデバイスが、第１のサービスが完了し又は端末デバイスのサービスネットワークが前記第１のサービスをサポートしないと決定する場合、前記チャネル品質状態情報に基づいて、前記サービスネットワークを第１のネットワークから第２のネットワークへ切り替えるかどうかを決定することとを含み、
前記チャネル品質状態情報が前記第２のネットワークのチャネル品質を反映する
ことを特徴とするネットワーク切替方法。
【請求項２】
前記チャネル品質状態情報は、前記端末デバイスにより送信された測定結果レポートである
ことを特徴とする請求項１に記載のネットワーク切替方法。
【請求項３】
前記ネットワークデバイスが前記端末デバイスにより送信された測定結果レポートを受信する前に、前記方法は、さらに、
前記ネットワークデバイスが前記端末デバイスに解放コマンドを送信することを含み、前記解放コマンドが、前記端末デバイスが前記第１のサービスを解放するように指示し、
前記ネットワークデバイスが前記端末デバイスにより送信された測定結果レポートを受信することは、
前記ネットワークデバイスが前記端末デバイスにより送信された前記解放コマンドの応答メッセージを受信することを含み、前記応答メッセージが前記測定結果レポートを含む
ことを特徴とする請求項２に記載のネットワーク切替方法。
【請求項４】
前記ネットワークデバイスが前記端末デバイスにより送信された測定結果レポートを受信することは、
前記ネットワークデバイスが前記端末デバイスにより送信された前記測定結果レポートを周期的に受信することを含む
ことを特徴とする請求項２又は３に記載のネットワーク切替方法。
【請求項５】
前記ネットワークデバイスが前記端末デバイスにより送信された測定結果レポートを受信することは、
前記ネットワークデバイスが特定の時間ユニットにおいて、前記端末デバイスにより送信された前記測定結果レポートを受信することを含む
ことを特徴とする請求項２〜４のいずれか１項に記載のネットワーク切替方法。
【請求項６】
前記端末デバイスが前記測定結果レポートを送信する回数は、固定の回数である
ことを特徴とする請求項５に記載のネットワーク切替方法。
【請求項７】
前記ネットワークデバイスが前記端末デバイスにより送信された測定結果レポートを受信する前に、前記方法は、さらに、
前記ネットワークデバイスが前記端末デバイスに構成情報を送信することを含み、
前記構成情報が、前記測定結果レポートの送信周期、回数及び特定の時間ユニットのうちの少なくとも１つを含み、
前記ネットワークデバイスが前記端末デバイスにより送信された測定結果レポートを受信することは、
前記ネットワークデバイスが前記指示情報に基づいて、前記測定結果レポートを受信することを含む
ことを特徴とする請求項２〜６のいずれか１項に記載のネットワーク切替方法。
【請求項８】
前記ネットワークデバイスが前記端末デバイスにより送信された測定結果レポートを受信する前に、前記方法は、さらに、
前記ネットワークデバイスが前記端末デバイスに第１の指示情報を送信することを含み、前記第１の指示情報が、前記端末デバイスが前記ネットワークデバイスに前記測定結果レポートを送信するように指示する
ことを特徴とする請求項２〜７のいずれか１項に記載のネットワーク切替方法。
【請求項９】
前記ネットワークデバイスが前記端末デバイスに第１の指示情報を送信することは、
前記ネットワークデバイスが前記端末デバイスに無線リソース制御ＲＲＣシグナリングを送信することを含み、前記ＲＲＣシグナリングが前記第１の指示情報を含む
ことを特徴とする請求項８に記載のネットワーク切替方法。
【請求項１０】
前記ネットワークデバイスが前記端末デバイスに第１の指示情報を送信することは、
前記ネットワークデバイスが第１のキャリアにおいてデータを送信又は受信し、前記第１のキャリアを利用して前記端末デバイスが前記ネットワークデバイスに測定結果レポートを送信するように指示し、又は、
前記ネットワークデバイスが第１のサービス品質ＱｏＳストリーム又は第１のデータストリームを送信又は受信し、前記第１のＱｏＳストリーム又は第１のデータストリームを利用して前記端末デバイスが前記ネットワークデバイスに前記測定結果レポートを送信するように指示することを含む
ことを特徴とする請求項８に記載のネットワーク切替方法。
【請求項１１】
前記ネットワークデバイスが前記端末デバイスに第１の指示情報を送信することは、
前記ネットワークデバイスが前記端末デバイスに解放コマンドを送信することを含み、前記解放コマンドが前記端末デバイスが前記第１のサービスを解放するように指示し、前記解放コマンドが前記第１の指示情報を含む
ことを特徴とする請求項８に記載のネットワーク切替方法。
【請求項１２】
前記第１のサービスは、前記端末デバイスが前記ネットワークデバイスに前記測定結果レポートを送信するようにトリガーする
ことを特徴とする請求項２〜７のいずれか１項に記載のネットワーク切替方法。
【請求項１３】
前記チャネル品質状態情報が前記端末デバイスにより送信された第２の指示情報であり、前記第２の指示情報が、前記第２のネットワークが利用可能であることを示し、又は、前記第２の指示情報が、前記第２のネットワークが利用不可能であることを示し、
前記ネットワークデバイスが、第１のサービスが完了し又は前記サービスネットワークが前記第１のサービスをサポートしないと決定する場合、前記チャネル品質状態情報に基づいて、端末デバイスのサービスネットワークを第１のネットワークから前記第２のネットワークへ切り替えるかどうかを決定することは、
前記ネットワークデバイスが、第１のサービスが完了し又は前記サービスネットワークが前記第１のサービスをサポートしないと決定する場合、前記第２の指示情報に基づいて、端末デバイスのサービスネットワークを前記第１のネットワークから前記第２のネットワークへ切り替えるかどうかを決定することを含む
ことを特徴とする請求項１に記載のネットワーク切替方法。
【請求項１４】
前記ネットワークデバイスがチャネル品質状態情報を取得することは、
前記ネットワークデバイスが候補ネットワークから前記チャネル品質状態情報を取得することを含み、前記候補ネットワークが前記第２のネットワークを含む
ことを特徴とする請求項１に記載のネットワーク切替方法。
【請求項１５】
前記候補ネットワークが端末デバイスの上り信号で前記チャネル品質状態情報を取得することができる
ことを特徴とする請求項１４に記載のネットワーク切替方法。
【請求項１６】
前記候補ネットワークは、前記ネットワークデバイスの所在のネットワークとの直接又は間接のインターフェースを有するネットワークである
ことを特徴とする請求項１４に記載のネットワーク切替方法。
【請求項１７】
前記チャネル品質状態情報は、候補ネットワークのチャネル品質状態情報を含む
ことを特徴とする請求項１〜１６のいずれか１項に記載のネットワーク切替方法。
【請求項１８】
前記第１のサービスは、
第２のキャリア上のサービス、第２のデータストリーム及び第２のサービス品質ＱｏＳストリームのいずれかである
ことを特徴とする請求項１〜１７のいずれか１項に記載のネットワーク切替方法。
【請求項１９】
端末デバイスがチャネル品質状態情報を決定し、前記チャネル品質状態情報が第２のネットワークのチャネル品質を反映することと、
前記ネットワークデバイスが第１のサービスが完了し又は前記端末デバイスのサービスネットワークが前記第１のサービスをサポートしないと決定する場合、前記チャネル品質状態情報に基づいて、前記サービスネットワークを第１のネットワークから前記第２のネットワークへ切り替えるかどうかを決定するように、前記端末デバイスがネットワークデバイスに前記チャネル品質状態情報を送信することとを含む
ことを特徴とするネットワーク切替方法。
【請求項２０】
前記チャネル品質状態情報が前記端末デバイスの測定結果レポートであり、
前記端末デバイスがネットワークデバイスに前記チャネル品質状態情報を送信することは、
前記端末デバイスが前記ネットワークデバイスに前記測定結果レポートを送信することを含む
ことを特徴とする請求項１９に記載のネットワーク切替方法。
【請求項２１】
前記端末デバイスが前記ネットワークデバイスに前記測定結果レポートを送信する前に、前記方法は、さらに、
前記端末デバイスが前記ネットワークデバイスにより送信された解放コマンドを受信することを含み、前記解放コマンドが前記端末デバイスが前記第１のサービスを解放するように指示し、
前記端末デバイスが前記ネットワークデバイスに前記測定結果レポートを送信することは、
前記端末デバイスがネットワークデバイスに前記解放コマンドの応答メッセージを送信することを含み、前記応答メッセージが前記測定結果レポートを含む
ことを特徴とする請求項２０に記載のネットワーク切替方法。
【請求項２２】
前記端末デバイスが前記ネットワークデバイスに前記測定結果レポートを送信することは、
前記端末デバイスがネットワークデバイスに前記測定結果レポートを周期的に送信することを含む
ことを特徴とする請求項２０又は２１に記載のネットワーク切替方法。
【請求項２３】
前記端末デバイスが前記ネットワークデバイスに前記測定結果レポートを送信することは、
前記端末デバイスが特定の時間ユニットにおいて、前記ネットワークデバイスに前記測定結果レポートを送信することを含む
ことを特徴とする請求項２０〜２２のいずれか１項に記載のネットワーク切替方法。
【請求項２４】
前記端末デバイスが前記測定結果レポートを送信する回数は、固定の回数である
ことを特徴とする請求項２３に記載のネットワーク切替方法。
【請求項２５】
前記端末デバイスが前記ネットワークデバイスに前記測定結果レポートを送信する前に、前記方法は、さらに、
前記端末デバイスが前記ネットワークデバイスにより送信された構成情報を受信することを含み、
前記構成情報が、前記測定結果レポートの送信周期、回数及び特定の時間ユニットのうちの少なくとも１つを含み、
前記端末デバイスが前記ネットワークデバイスに前記測定結果レポートを送信することは、
前記端末デバイスが前記指示情報に基づいて、前記ネットワークデバイスに前記測定結果レポートを送信することを含む
ことを特徴とする請求項２０〜２４のいずれか１項に記載のネットワーク切替方法。
【請求項２６】
前記端末デバイスが前記ネットワークデバイスに前記測定結果レポートを送信する前に、前記方法は、さらに、
前記端末デバイスが前記ネットワークデバイスにより送信された第１の指示情報を受信することを含み、前記第１の指示情報が、前記端末デバイスが前記ネットワークデバイスに前記測定結果レポートを送信するように指示する
ことを特徴とする請求項２０〜２５のいずれか１項に記載のネットワーク切替方法。
【請求項２７】
前記端末デバイスが前記ネットワークデバイスにより送信された第１の指示情報を受信することは、
前記端末デバイスが前記ネットワークデバイスにより送信された無線リソース制御ＲＲＣシグナリングを受信することを含み、前記ＲＲＣシグナリングが前記第１の指示情報を含む
ことを特徴とする請求項２６に記載のネットワーク切替方法。
【請求項２８】
前記端末デバイスが前記ネットワークデバイスにより送信された第１の指示情報を受信することは、
前記端末デバイスが第１のキャリアにおいてデータを送信又は受信し、前記第１のキャリアを利用して前記端末デバイスが前記ネットワークデバイスに前記測定結果レポートを送信するように指示すること、又は、
前記端末デバイスが第１のサービス品質ＱｏＳストリーム又は第１のデータストリームを送信又は受信し、前記第１のＱｏＳストリーム又は第１のデータストリームを利用して前記端末デバイスが前記ネットワークデバイスに前記測定結果レポートを送信するように指示することを含む
ことを特徴とする請求項２６に記載のネットワーク切替方法。
【請求項２９】
前記端末デバイスが前記ネットワークデバイスにより送信された第１の指示情報を受信することは、
前記端末デバイスが前記ネットワークデバイスにより送信された解放コマンドを受信することを含み、前記解放コマンドが前記端末デバイスが前記第１のサービスを解放するように指示し、前記解放コマンドが前記第１の指示情報を含む
ことを特徴とする請求項２６に記載のネットワーク切替方法。
【請求項３０】
前記端末デバイスが前記ネットワークデバイスに前記測定結果レポートを送信することは、
前記端末デバイスが第２のサービスを開始する時、前記第２のサービスのプロトコルが、前記端末デバイスが前記ネットワークデバイスに前記測定結果レポートを送信するようにトリガーすることを含む
ことを特徴とする請求項２０に記載のネットワーク切替方法。
【請求項３１】
前記端末デバイスが前記チャネル品質状態情報を決定することは、
前記端末デバイスが第２の指示情報を生成することを含み、前記第２の指示情報が、前記第２のネットワークが利用可能であることを示し、又は、前記第２の指示情報が、前記第２のネットワークが利用不可能であることを示し、
前記端末デバイスがネットワークデバイスに前記チャネル品質状態情報を送信することは、
前記端末デバイスが前記ネットワークデバイスに前記第２の指示情報を送信することを含む
ことを特徴とする請求項１９に記載のネットワーク切替方法。
【請求項３２】
前記端末デバイスが第２の指示情報を生成することは、
前記第２のネットワークのチャネル品質状態情報が第１の閾値以上である場合、前記指示情報を生成し、又は、前記第２のネットワークのステータスパケット誤り率が第２の閾値以下である場合、前記指示情報を生成することを含む
ことを特徴とする請求項３１に記載のネットワーク切替方法。
【請求項３３】
前記端末デバイスが前記チャネル品質状態情報を決定することは、
前記ネットワークデバイスが候補ネットワークから前記チャネル品質状態情報を取得することを含み、前記候補ネットワークが前記第２のネットワークを含む
ことを特徴とする請求項１９に記載のネットワーク切替方法。
【請求項３４】
前記候補ネットワークが端末デバイスの上り信号で前記チャネル品質状態情報を取得することができる
ことを特徴とする請求項３３に記載のネットワーク切替方法。
【請求項３５】
前記候補ネットワークは、前記ネットワークデバイスの所在のネットワークとの直接又は間接のインターフェースを有するネットワークである
ことを特徴とする請求項３３に記載のネットワーク切替方法。
【請求項３６】
前記チャネル品質状態情報は、候補ネットワークのチャネル品質状態情報を含む
ことを特徴とする請求項１９〜３５のいずれか１項に記載のネットワーク切替方法。
【請求項３７】
前記第１のサービスは、
第２のキャリア上のサービス、第２のデータストリーム及び第２のサービス品質ＱｏＳストリームのいずれかである
ことを特徴とする請求項１９〜３６のいずれか１項に記載のネットワーク切替方法。
【請求項３８】
送受信ユニットと、処理ユニットとを備えるネットワークデバイスであって、
前記送受信ユニットは、チャネル品質状態情報を取得するように構成され、
前記チャネル品質状態情報が第２のネットワークのチャネル品質を反映し、
前記処理ユニットは、第１のサービスが完了し又は端末デバイスのサービスネットワークが前記第１のサービスをサポートしないと決定する場合、前記チャネル品質状態情報に基づいて、前記サービスネットワークを第１のネットワークから前記第２のネットワークへ切り替えるかどうかを決定するように構成される
ことを特徴とするネットワークデバイス。
【請求項３９】
前記チャネル品質状態情報は、前記端末デバイスにより送信された測定結果レポートである
ことを特徴とする請求項３８に記載のネットワークデバイス。
【請求項４０】
前記送受信ユニットは、
前記端末デバイスにより送信された測定結果レポートを受信する前に、前記端末デバイスに解放コマンドを送信し、
前記端末デバイスにより送信された前記解放コマンドの応答メッセージを取得するように構成され、
前記解放コマンドが、前記端末デバイスが前記第１のサービスを解放するように指示し、前記応答メッセージが前記測定結果レポートを含む
ことを特徴とする請求項３９に記載のネットワークデバイス。
【請求項４１】
前記送受信ユニットは、さらに、
前記端末デバイスにより送信された前記測定結果レポートを周期的に受信するように構成される
ことを特徴とする請求項３９又は４０に記載のネットワークデバイス。
【請求項４２】
前記送受信ユニットは、さらに、
特定の時間ユニットにおいて、前記端末デバイスにより送信された前記測定結果レポートを受信するように構成される
ことを特徴とする請求項３９〜４１のいずれか１項に記載のネットワークデバイス。
【請求項４３】
前記端末デバイスが前記測定結果レポートを送信する回数は、固定の回数である
ことを特徴とする請求項４２に記載のネットワークデバイス。
【請求項４４】
前記送受信ユニットは、さらに、
前記端末デバイスにより送信された測定結果レポートを受信する前に、前記端末デバイスに構成情報を送信し、
前記指示情報に基づいて、前記測定結果レポートを受信するように構成され、
前記構成情報が、前記測定結果レポートの送信周期、回数及び特定の時間ユニットのうちの少なくとも１つを含む
ことを特徴とする請求項３９〜４３のいずれか１項に記載のネットワークデバイス。
【請求項４５】
前記送受信ユニットは、さらに、
前記端末デバイスにより送信された測定結果レポートを受信する前に、前記ネットワークデバイスが前記端末デバイスに第１の指示情報を送信するように構成され、前記第１の指示情報が、前記端末デバイスが前記ネットワークデバイスに前記測定結果レポートを送信するように指示する
ことを特徴とする請求項３９〜４４のいずれか１項に記載のネットワークデバイス。
【請求項４６】
前記送受信ユニットは、
前記端末デバイスに無線リソース制御ＲＲＣシグナリングを送信するように構成され、前記ＲＲＣシグナリングが前記第１の指示情報を含む
ことを特徴とする請求項４４に記載のネットワークデバイス。
【請求項４７】
前記送受信ユニットは、
第１のキャリアにおいてデータを送信し又は受信し、前記第１のキャリアを利用して前記端末デバイスが前記ネットワークデバイスに測定結果レポートを送信するように指示し、又は、
第１のサービス品質ＱｏＳストリーム又は第１のデータストリームを送信し又は受信し、前記第１のＱｏＳストリーム又は第１のデータストリームを利用して前記端末デバイスが前記ネットワークデバイスに前記測定結果レポートを送信するように指示するように構成される
ことを特徴とする請求項４４に記載のネットワークデバイス。
【請求項４８】
前記送受信ユニットは、
前記端末デバイスに解放コマンドを送信するように構成され、前記解放コマンドが、前記端末デバイスが前記第１のサービスを解放するように指示し、前記解放コマンドが前記第１の指示情報を含む
ことを特徴とする請求項４４に記載のネットワークデバイス。
【請求項４９】
前記第１のサービスは、前記端末デバイスが前記ネットワークデバイスに前記測定結果レポートを送信するようにトリガーする
ことを特徴とする請求項３９〜４８のいずれか１項に記載のネットワークデバイス。
【請求項５０】
前記チャネル品質状態情報が前記端末デバイスにより送信された第２の指示情報であり、前記第２の指示情報が、前記第２のネットワークが利用可能であることを示し、又は、前記第２の指示情報が、前記第２のネットワークが利用不可能であることを示し、
前記処理ユニットは、
第１のサービスが完了し又は前記サービスネットワークが前記第１のサービスをサポートしないと決定する場合、前記第２の指示情報に基づいて、端末デバイスのサービスネットワークを前記第１のネットワークから前記第２のネットワークへ切り替えるかどうかを決定するように構成される
ことを特徴とする請求項３８に記載のネットワークデバイス。
【請求項５１】
前記送受信ユニットは、
候補ネットワークから前記チャネル品質状態情報を取得するように構成され、前記候補ネットワークが前記第２のネットワークを含む
ことを特徴とする請求項３８に記載のネットワークデバイス。
【請求項５２】
前記候補ネットワークが端末デバイスの上り信号で前記チャネル品質状態情報を取得することができる
ことを特徴とする請求項５１に記載のネットワークデバイス。
【請求項５３】
前記候補ネットワークは、前記ネットワークデバイスの所在のネットワークとの直接又は間接のインターフェースを有するネットワークである
ことを特徴とする請求項５１に記載のネットワークデバイス。
【請求項５４】
前記チャネル品質状態情報は、候補ネットワークのチャネル品質状態情報を含む
ことを特徴とする請求項３８〜５３のいずれか１項に記載のネットワークデバイス。
【請求項５５】
前記第１のサービスは、
第２のキャリア上のサービス、第２のデータストリーム及び第２のサービス品質ＱｏＳストリームのいずれかである
ことを特徴とする請求項３８〜５４のいずれか１項に記載のネットワークデバイス。
【請求項５６】
処理ユニットと、送受信ユニットとを備える端末デバイスであって、
前記処理ユニットは、チャネル品質状態情報を決定するように構成され、前記チャネル品質状態情報が第２のネットワークのチャネル品質を反映し、
前記送受信ユニットは、前記ネットワークデバイスが第１のサービスが完了し又は前記端末デバイスのサービスネットワークが前記第１のサービスをサポートしないと決定する場合、前記チャネル品質状態情報に基づいて、前記サービスネットワークを第１のネットワークから前記第２のネットワークへ切り替えるかどうかを決定するように、ネットワークデバイスに前記チャネル品質状態情報を送信するように構成される
ことを特徴とする端末デバイス。
【請求項５７】
前記チャネル品質状態情報が前記端末デバイスの測定結果レポートであり、
前記送受信ユニットは、
前記ネットワークデバイスに前記測定結果レポートを送信するように構成される
ことを特徴とする請求項５６に記載の端末デバイス。
【請求項５８】
前記送受信ユニットは、
前記ネットワークデバイスに前記測定結果レポートを送信する前に、ネットワークデバイスにより送信された解放コマンドを受信し、
前記ネットワークデバイスに前記解放コマンドの応答メッセージを送信するように構成され、
前記解放コマンドが、前記端末デバイスが前記第１のサービスを解放するように指示し、前記応答メッセージが前記測定結果レポートを含む
ことを特徴とする請求項５７に記載の端末デバイス。
【請求項５９】
前記送受信ユニットは、さらに、
ネットワークデバイスに前記測定結果レポートを周期的に送信するように構成される
ことを特徴とする請求項５７又は５８に記載の端末デバイス。
【請求項６０】
前記送受信ユニットは、さらに、
特定の時間ユニットにおいて、前記ネットワークデバイスに前記測定結果レポートを送信するように構成される
ことを特徴とする請求項５７〜５９のいずれか１項に記載の端末デバイス。
【請求項６１】
前記端末デバイスが前記測定結果レポートを送信する回数は、固定の回数である
ことを特徴とする請求項６０に記載の端末デバイス。
【請求項６２】
前記送受信ユニットは、さらに、
前記ネットワークデバイスに前記測定結果レポートを送信する前に、前記ネットワークデバイスにより送信された構成情報を受信し、前記指示情報に基づいて、前記ネットワークデバイスに前記測定結果レポートを送信するように構成され、
前記構成情報が、前記測定結果レポートの送信周期、回数及び特定の時間ユニットのうちの少なくとも１つを含む
ことを特徴とする請求項５７〜６１のいずれか１項に記載の端末デバイス。
【請求項６３】
前記送受信ユニットは、さらに、
前記ネットワークデバイスに前記測定結果レポートを送信する前に、前記ネットワークデバイスにより送信された第１の指示情報を受信するように構成され、前記第１の指示情報が、前記端末デバイスが前記ネットワークデバイスに前記測定結果レポートを送信するように指示する
ことを特徴とする請求項５７〜６２のいずれか１項に記載の端末デバイス。
【請求項６４】
前記送受信ユニットは、前記ネットワークデバイスにより送信された無線リソース制御ＲＲＣシグナリングを受信するように構成され、前記ＲＲＣシグナリングが前記第１の指示情報を含む
ことを特徴とする請求項６３に記載の端末デバイス。
【請求項６５】
前記送受信ユニットは、
第１のキャリアにおいてデータを送信し又は受信し、前記第１のキャリアを利用して前記端末デバイスが前記ネットワークデバイスに前記測定結果レポートを送信するように指示し、又は、
第１のサービス品質ＱｏＳストリーム又は第１のデータストリームを送信し又は受信し、前記第１のＱｏＳストリーム又は第１のデータストリームを利用して前記端末デバイスが前記ネットワークデバイスに前記測定結果レポートを送信するように指示するように構成される
ことを特徴とする請求項６３に記載の端末デバイス。
【請求項６６】
前記送受信ユニットは、
前記ネットワークデバイスにより送信された解放コマンドを受信するように構成され、前記解放コマンドが、前記端末デバイスが前記第１のサービスを解放するように指示し、前記解放コマンドが前記第１の指示情報を含む
ことを特徴とする請求項６３に記載の端末デバイス。
【請求項６７】
前記送受信ユニットは、
第２のサービスを開始する時に、前記第２のサービスのプロトコルにより、前記端末デバイスが前記ネットワークデバイスに前記測定結果レポートを送信するようにトリガーするように構成される
ことを特徴とする請求項５７に記載の端末デバイス。
【請求項６８】
前記処理ユニットは、
第２の指示情報を生成するように構成され、前記第２の指示情報が、前記第２のネットワークが利用可能であることを示し、又は、前記第２の指示情報が、前記第２のネットワークが利用不可能であることを示し、
前記送受信ユニットは、
前記ネットワークデバイスに前記第２の指示情報を送信するように構成される
ことを特徴とする請求項５６に記載の端末デバイス。
【請求項６９】
前記処理ユニットは、
前記第２のネットワークのチャネル品質状態情報が第１の閾値以上である場合、前記指示情報を生成し、又は、前記第２のネットワークのステータスパケット誤り率が第２の閾値以下である場合、前記指示情報を生成するように構成される
ことを特徴とする請求項６８に記載の端末デバイス。
【請求項７０】
前記処理ユニットは、
候補ネットワークから前記チャネル品質状態情報を取得するように構成され、前記候補ネットワークが前記第２のネットワークを含む
ことを特徴とする請求項５６に記載の端末デバイス。
【請求項７１】
前記候補ネットワークが端末デバイスの上り信号で前記チャネル品質状態情報を取得することができる
ことを特徴とする請求項７０に記載の端末デバイス。
【請求項７２】
前記候補ネットワークは、前記ネットワークデバイスの所在のネットワークとの直接又は間接のインターフェースを有するネットワークである
ことを特徴とする請求項７１に記載の端末デバイス。
【請求項７３】
前記チャネル品質状態情報は、候補ネットワークのチャネル品質状態情報を含む
ことを特徴とする請求項５６〜７２のいずれか１項に記載の端末デバイス。
【請求項７４】
前記第１のサービスは、
第２のキャリア上のサービス、第２のデータストリーム及び第２のサービス品質ＱｏＳストリームのいずれかである
ことを特徴とする請求項５６〜７３のいずれか１項に記載の端末デバイス。
【発明の詳細な説明】
【技術分野】
【０００１】
本発明の実施例は、通信分野に関し、具体的に、ネットワーク切替方法、ネットワークデバイス及び端末デバイスに関する。
【背景技術】
【０００２】
５Ｇ新しいラジオ（ Ｎｅｗ Ｒａｄｉｏ、ＮＲ )ネットワーク展開初期において、特定のシーン(例えば、ネットワーク輻輳、音声サービスが必要である時など)において、５Ｇ ＮＲネットワークから４Ｇロングタームエボリューション( Ｌｏｎｇ Ｔｅｒｍ Ｅｖｏｌｕｔｉｏｎ、ＬＴＥ )ネットワークへ切り替えることがあるが、現在の段階では、５Ｇ ＮＲネットワークから４Ｇ ＬＴＥネットワークへの切り替えた後、どのように５Ｇ ＮＲネットワークに戻るかについては説明されておらず、したがって、５Ｇ ＮＲネットワークから４Ｇ ＬＴＥネットワークへの切り替えた後、５Ｇ ＮＲネットワークに迅速に戻ることができず、ユーザ体験に影響を及ぼす。
【発明の概要】
【０００３】
本願は、ユーザが５Ｇ ＮＲネットワークを最大限利用することを保証し、ユーザ体験を向上させることができあるネットワーク切替方法、ネットワークデバイス及び端末デバイスを提供する。
【０００４】
第１の形態は、ネットワーク切替方法を提供し、
ネットワークデバイスがチャネル品質状態情報を取得することと、
前記ネットワークデバイスが、第１のサービスが完了し又は端末デバイスのサービスネットワークが前記第１のサービスをサポートしないと決定する場合、前記チャネル品質状態情報に基づいて、前記サービスネットワークを第１のネットワークから前記第２のネットワークへ切り替えるかどうかを決定することとを含み、前記チャネル品質状態情報が第２のネットワークのチャネル品質を反映する。
【０００５】
本発明の実施例では、第１のサービスが終了したとき、又は端末デバイスのサービスネットワークが第１のサービスをサポートしていないとき、ネットワークデバイスにより、該ネットワークデバイスのサービスネットワークを第１のネットワークから第２のネットワークに切り替えるか否かを決定する。そして、ユーザが５Ｇ ＮＲネットワークを最大限使用することを保証することができ、さらに、ユーザ体験を向上させることができる。
【０００６】
いくつかの実現可能な方式において、前記チャネル品質状態情報は、前記端末デバイスにより送信された測定結果レポートである。
【０００７】
いくつかの実現可能な方式において、前記ネットワークデバイスが前記端末デバイスにより送信された測定結果レポートを受信する前に、前記方法は、さらに、
前記ネットワークデバイスが前記端末デバイスに解放コマンドを送信することを含み、前記解放コマンドが前記端末デバイスが前記第１のサービスを解放するように指示し、ここで、前記ネットワークデバイスが前記端末デバイスにより送信された測定結果レポートを受信することは、
前記ネットワークデバイスが前記端末デバイスにより送信された前記解放コマンドの応答メッセージを受信することを含み、前記応答メッセージが前記測定結果レポートを含む。
【０００８】
いくつかの実現可能な方式において、前記ネットワークデバイスが前記端末デバイスにより送信された測定結果レポートを受信することは、
前記ネットワークデバイスが前記端末デバイスにより送信された前記測定結果レポートを周期的に受信することを含む。
【０００９】
いくつかの実現可能な方式において、前記ネットワークデバイスが前記端末デバイスにより送信された測定結果レポートを受信することは、
前記ネットワークデバイスが特定の時間ユニットにおいて、前記端末デバイスにより送信された前記測定結果レポートを受信することを含む。
【００１０】
いくつかの実現可能な方式において、前記端末デバイスが前記測定結果レポートを送信する回数は、固定の回数である。
【００１１】
いくつかの実現可能な方式において、前記ネットワークデバイスが前記端末デバイスにより送信された測定結果レポートを受信する前に、前記方法は、さらに、
前記ネットワークデバイスが前記端末デバイスに構成情報を送信することを含み、前記構成情報が、前記測定結果レポートの送信周期、回数及び特定の時間ユニットのうちの少なくとも１つを含み、
ここで、前記ネットワークデバイスが前記端末デバイスにより送信された測定結果レポートを受信することは、
前記ネットワークデバイスが前記指示情報に基づいて、前記測定結果レポートを受信することを含む。
【００１２】
いくつかの実現可能な方式において、前記ネットワークデバイスが前記端末デバイスにより送信された測定結果レポートを受信する前に、前記方法は、さらに、
前記ネットワークデバイスが前記端末デバイスに第１の指示情報を送信することを含み、前記第１の指示情報が、前記端末デバイスが前記ネットワークデバイスに前記測定結果レポートを送信するように指示する。
【００１３】
いくつかの実現可能な方式において、前記ネットワークデバイスが前記端末デバイスに第１の指示情報を送信することは、
前記ネットワークデバイスが前記端末デバイスに無線リソース制御ＲＲＣシグナリングを送信することを含み、前記ＲＲＣシグナリングが前記第１の指示情報を含む。
【００１４】
いくつかの実現可能な方式において、前記ネットワークデバイスが前記端末デバイスに第１の指示情報を送信することは、
前記ネットワークデバイスが第１のキャリアにおいてデータを送信又は受信し、前記第１のキャリアを利用して前記端末デバイスが前記ネットワークデバイスに測定結果レポートを送信するように指示し、又は、
前記ネットワークデバイスが第１のサービス品質ＱｏＳストリーム又は第１のデータストリームを送信又は受信し、前記第１のＱｏＳストリーム又は第１のデータストリームを利用して前記端末デバイスが前記ネットワークデバイスに前記測定結果レポートを送信するように指示することを含む。
【００１５】
いくつかの実現可能な方式において、前記ネットワークデバイスが前記端末デバイスに第１の指示情報を送信することは、
前記ネットワークデバイスが前記端末デバイスに解放コマンドを送信することを含み、前記解放コマンドが前記端末デバイスが前記第１のサービスを解放するように指示し、前記解放コマンドが前記第１の指示情報を含む。
【００１６】
いくつかの実現可能な方式において、前記第１のサービスは、前記端末デバイスが前記ネットワークデバイスに前記測定結果レポートを送信するようにトリガーする。
【００１７】
いくつかの実現可能な方式において、前記チャネル品質状態情報が前記端末デバイスにより送信された第２の指示情報であり、前記第２の指示情報が、前記第２のネットワークが利用可能であることを示し、又は、前記第２の指示情報が、前記第２のネットワークが利用不可能であることを示し、ここで、前記ネットワークデバイスが、第１のサービスが完了し又は前記サービスネットワークが前記第１のサービスをサポートしないと決定する場合、前記チャネル品質状態情報に基づいて、端末デバイスのサービスネットワークを第１のネットワークから前記第２のネットワークへ切り替えるかどうかを決定することは、
前記ネットワークデバイスが、第１のサービスが完了し又は前記サービスネットワークが前記第１のサービスをサポートしないと決定する場合、前記第２の指示情報に基づいて、端末デバイスのサービスネットワークを前記第１のネットワークから前記第２のネットワークへ切り替えるかどうかを決定することを含む。
【００１８】
いくつかの実現可能な方式において、前記ネットワークデバイスがチャネル品質状態情報を取得することは、
前記ネットワークデバイスが候補ネットワークから前記チャネル品質状態情報を取得することを含み、前記候補ネットワークが前記第２のネットワークを含む。
【００１９】
いくつかの実現可能な方式において、前記候補ネットワークが端末デバイスの上り信号で前記チャネル品質状態情報を取得することができる。
【００２０】
いくつかの実現可能な方式において、前記候補ネットワークは、前記ネットワークデバイスの所在のネットワークとの直接又は間接のインターフェースを有するネットワークである。
【００２１】
いくつかの実現可能な方式において、前記チャネル品質状態情報は、候補ネットワークのチャネル品質状態情報を含む。
【００２２】
いくつかの実現可能な方式において、前記第１のサービスは、
第２のキャリア上のサービス、第２のデータストリーム及び第２のサービス品質ＱｏＳストリームのいずれかである。
【００２３】
第２の形態は、ネットワーク切替方法を提供し、
端末デバイスがチャネル品質状態情報を決定することと、
前記ネットワークデバイスが第１のサービスが完了し又は前記端末デバイスのサービスネットワークが前記第１のサービスをサポートしないと決定する場合、前記チャネル品質状態情報に基づいて、前記サービスネットワークを第１のネットワークから前記第２のネットワークへ切り替えるかどうかを決定するように、前記端末デバイスがネットワークデバイスに前記チャネル品質状態情報を送信することとを含み、前記チャネル品質状態情報が第２のネットワークのチャネル品質を反映する。
【００２４】
いくつかの実現可能な方式において、前記チャネル品質状態情報が前記端末デバイスの測定結果レポートであり、ここで、前記端末デバイスがネットワークデバイスに前記チャネル品質状態情報を送信することは、
前記端末デバイスが前記ネットワークデバイスに前記測定結果レポートを送信することを含む。
【００２５】
いくつかの実現可能な方式において、前記端末デバイスが前記ネットワークデバイスに前記測定結果レポートを送信する前に、前記方法は、さらに、
前記端末デバイスが前記ネットワークデバイスにより送信された解放コマンドを受信することを含み、前記解放コマンドが前記端末デバイスが前記第１のサービスを解放するように指示し、ここで、前記端末デバイスが前記ネットワークデバイスに前記測定結果レポートを送信することは、
前記端末デバイスがネットワークデバイスに前記解放コマンドの応答メッセージを送信することを含み、前記応答メッセージが前記測定結果レポートを含む。
【００２６】
いくつかの実現可能な方式において、前記端末デバイスが前記ネットワークデバイスに前記測定結果レポートを送信することは、
前記端末デバイスがネットワークデバイスに前記測定結果レポートを周期的に送信することを含む。
【００２７】
いくつかの実現可能な方式において、前記端末デバイスが前記ネットワークデバイスに前記測定結果レポートを送信することは、
前記端末デバイスが特定の時間ユニットにおいて、前記ネットワークデバイスに前記測定結果レポートを送信することを含む。
【００２８】
いくつかの実現可能な方式において、前記端末デバイスが前記測定結果レポートを送信する回数は、固定の回数である。
【００２９】
いくつかの実現可能な方式において、前記端末デバイスが前記ネットワークデバイスに前記測定結果レポートを送信する前に、前記方法は、さらに、
前記端末デバイスが前記ネットワークデバイスにより送信された構成情報を受信することを含み、前記構成情報が、前記測定結果レポートの送信周期、回数及び特定の時間ユニットのうちの少なくとも１つを含み、ここで、前記端末デバイスが前記ネットワークデバイスに前記測定結果レポートを送信することは、
前記端末デバイスが前記指示情報に基づいて、前記ネットワークデバイスに前記測定結果レポートを送信することを含む。
【００３０】
いくつかの実現可能な方式において、前記端末デバイスが前記ネットワークデバイスに前記測定結果レポートを送信する前に、前記方法は、さらに、
前記端末デバイスが前記ネットワークデバイスにより送信された第１の指示情報を受信することを含み、前記第１の指示情報が、前記端末デバイスが前記ネットワークデバイスに前記測定結果レポートを送信するように指示する。
【００３１】
いくつかの実現可能な方式において、前記端末デバイスが前記ネットワークデバイスにより送信された第１の指示情報を受信することは、
前記端末デバイスが前記ネットワークデバイスにより送信された無線リソース制御ＲＲＣシグナリングを受信することを含み、前記ＲＲＣシグナリングが前記第１の指示情報を含む。
【００３２】
いくつかの実現可能な方式において、前記端末デバイスが前記ネットワークデバイスにより送信された第１の指示情報を受信することは、
前記端末デバイスが第１のキャリアにおいてデータを送信又は受信し、前記第１のキャリアを利用して前記端末デバイスが前記ネットワークデバイスに前記測定結果レポートを送信するように指示すること、又は、
前記端末デバイスが第１のサービス品質ＱｏＳストリーム又は第１のデータストリームを送信又は受信し、前記第１のＱｏＳストリーム又は第１のデータストリームを利用して前記端末デバイスが前記ネットワークデバイスに前記測定結果レポートを送信するように指示することを含む。
【００３３】
いくつかの実現可能な方式において、前記端末デバイスが前記ネットワークデバイスにより送信された第１の指示情報を受信することは、
前記端末デバイスが前記ネットワークデバイスにより送信された解放コマンドを受信することを含み、前記解放コマンドが前記端末デバイスが前記第１のサービスを解放するように指示し、前記解放コマンドが前記第１の指示情報を含む。
【００３４】
いくつかの実現可能な方式において、前記端末デバイスが前記ネットワークデバイスに前記測定結果レポートを送信することは、
前記端末デバイスが第２のサービスを開始する時、前記第２のサービスのプロトコルが、前記端末デバイスが前記ネットワークデバイスに前記測定結果レポートを送信するようにトリガーすることを含む。
【００３５】
いくつかの実現可能な方式において、前記端末デバイスが前記チャネル品質状態情報を決定することは、
前記端末デバイスが第２の指示情報を生成することを含み、前記第２の指示情報が、前記第２のネットワークが利用可能であることを示し、又は、前記第２の指示情報が、前記第２のネットワークが利用不可能であることを示し、ここで、前記端末デバイスがネットワークデバイスに前記チャネル品質状態情報を送信することは、
前記端末デバイスが前記ネットワークデバイスに前記第２の指示情報を送信することを含む。
【００３６】
いくつかの実現可能な方式において、前記端末デバイスが第２の指示情報を生成することは、
前記第２のネットワークのチャネル品質状態情報が第１の閾値以上である場合、前記指示情報を生成し、又は、前記第２のネットワークのステータスパケット誤り率が第２の閾値以下である場合、前記指示情報を生成することを含む。
【００３７】
いくつかの実現可能な方式において、前記端末デバイスが前記チャネル品質状態情報を決定することは、
前記ネットワークデバイスが候補ネットワークから前記チャネル品質状態情報を取得することを含み、前記候補ネットワークが前記第２のネットワークを含む。
【００３８】
いくつかの実現可能な方式において、前記候補ネットワークが端末デバイスの上り信号で前記チャネル品質状態情報を取得することができる。
【００３９】
いくつかの実現可能な方式において、前記候補ネットワークは、前記ネットワークデバイスの所在のネットワークとの直接又は間接のインターフェースを有するネットワークである。
【００４０】
いくつかの実現可能な方式において、前記チャネル品質状態情報は、候補ネットワークのチャネル品質状態情報を含む。
【００４１】
いくつかの実現可能な方式において、前記第１のサービスは、
第２のキャリア上のサービス、第２のデータストリーム及び第２のサービス品質ＱｏＳストリームのいずれかである。
【００４２】
第３の形態は、ネットワークデバイスを提供し、送受信ユニットと処理ユニットを含み、
送受信ユニットは、チャネル品質状態情報を取得するように構成され、前記チャネル品質状態情報が第２のネットワークのチャネル品質を反映し、
処理ユニットは、第１のサービスが完了し又は端末デバイスのサービスネットワークが前記第１のサービスをサポートしないと決定する場合、前記チャネル品質状態情報に基づいて、前記サービスネットワークを第１のネットワークから前記第２のネットワークへ切り替えるかどうかを決定するように構成される。
【００４３】
第４の形態は、ネットワークデバイスを提供し、送受信機とプロセッサを含み、
送受信機は、チャネル品質状態情報を取得するように構成され、前記チャネル品質状態情報が第２のネットワークのチャネル品質を反映し、
プロセッサは、第１のサービスが完了し又は端末デバイスのサービスネットワークが前記第１のサービスをサポートしないと決定する場合、前記チャネル品質状態情報に基づいて、前記サービスネットワークを第１のネットワークから前記第２のネットワークへ切り替えるかどうかを決定するように構成される。
【００４４】
第５の形態は、端末デバイスを提供し、処理ユニットと送受信ユニットを含み、
処理ユニットは、チャネル品質状態情報を確定するように構成され、前記チャネル品質状態情報が第２のネットワークのチャネル品質を反映し、
送受信ユニットは、前記ネットワークデバイスが第１のサービスが完了し又は前記端末デバイスのサービスネットワークが前記第１のサービスをサポートしないと決定する場合、前記チャネル品質状態情報に基づいて、前記サービスネットワークを第１のネットワークから前記第２のネットワークへ切り替えるかどうかを決定するように、ネットワークデバイスに前記チャネル品質状態情報を送信するように構成される。
【００４５】
第６の形態は、端末デバイスを提供し、プロセッサと送受信機を含み、
プロセッサは、チャネル品質状態情報を決定するように構成され、前記チャネル品質状態情報が第２のネットワークのチャネル品質を反映し、
送受信機は、前記ネットワークデバイスが第１のサービスが完了し又は前記端末デバイスのサービスネットワークが前記第１のサービスをサポートしないと決定する場合、前記チャネル品質状態情報に基づいて、前記サービスネットワークを第１のネットワークから前記第２のネットワークへ切り替えるかどうかを決定するように、ネットワークデバイスに前記チャネル品質状態情報を送信するように構成される。
【００４６】
第７の態様は、上述の第１の態様または第２の態様の方法の実施例を実行するための命令を含むコンピュータプログラムを記憶するためのコンピュータ可読媒体を提供する。
【００４７】
第８の態様は、入力インタフェースと、出力インタフェースと、少なくとも１つのプロセッサと、メモリとを有するコンピュータチップを提供し、前記プロセッサは、前記メモリ内のコードを実行し、前記コードが実行されると、上記第１の態様または上記第２の態様のランダムアクセス競合方法のネットワークデバイスによる各処理を実現する。
【００４８】
第９の態様は、入力インタフェースと、出力インタフェースと、少なくとも１つのプロセッサと、メモリとを有するコンピュータチップを提供し、前記プロセッサは、前記メモリ内のコードを実行し、前記コードが実行されると、上記第１の態様または上記第２の態様のランダムアクセス競合方法の端末デバイスによる各処理を実現する。
【００４９】
第１０の態様は、上記ネットワークデバイスと端末デバイスとを備えた通信システムである。
【図面の簡単な説明】
【００５０】
【図１】本発明の応用シーンの例である。
【図２】本発明の実施例におけるネットワーク切替方法のフローチャートである。
【図３】本発明の実施例におけるネットワーク切替方法の他のフローチャートである。
【図４】本発明の実施例におけるネットワークデバイスのブロック図である。
【図５】本発明の実施例における他のネットワークデバイスのブロック図である。
【図６】本発明の実施例における端末デバイスのブロック図である。
【図７】本発明の実施例における他の端末デバイスのブロック図である。
【発明を実施するための形態】
【００５１】
以下、本願の実施例における技術的解決策を、本願の実施例における添付図面と併せて、明確かつ完全に説明する。
【００５２】
本願の実施例の技術的解決策は、５Ｇ ＮＲ通信システムに適用できる。
【００５３】
図１は、本願の実施例が適用される無線通信システム１００を示す。無線通信システム１００は、アクセスネットワークデバイス１１０を含み得る。アクセスネットワークデバイス１１０は、端末デバイスと通信するデバイスであり得る。アクセスネットワークデバイス１１０は、特定の地理的エリアに通信カバレージを提供し得、カバレージエリア内に配置されたＵＥなどの端末デバイスと通信し得る。任意選択で、アクセスネットワークデバイス１１０は、次世代無線アクセスネットワーク( Ｎｅｘｔ Ｇｅｎｅｒａｔｉｏｎ Ｒａｄｉｏ Ａｃｃｅｓｓ Ｎｅｔｗｏｒｋ、ＮＧ ＲＡＮ )、ＮＲシステムにおける基地局( ｇＮＢ )、またはクラウド無線アクセスネットワーク( Ｃｌｏｕｄ Ｒａｄｉｏ Ａｃｃｅｓｓ Ｎｅｔｗｏｒｋ、ＣＲＡＮ )における無線コントローラであってもよく、またはアクセスネットワークデバイスは、中継局、アクセスポイント、車載装置、ウェアラブル装置、または将来開発されるパブリック地上波モバイルネットワーク( Ｐｕｂｌｉｃ Ｌａｎｄ Ｍｏｂｉｌｅ Ｎｅｔｗｏｒｋ、ＰＬＭＮ )におけるネットワークデバイスなどであってもよい。任意選択で、アクセスネットワークデバイス１１０は、ＬＴＥシステムにおける基地局、例えば、進化型ユニバーサル・ベース・ワイヤレス・アクセス・ネットワーク( Ｅｖｏｌｖｅｄ Ｕｎｉｖｅｒｓａｌ Ｔｅｒｒｅｓｔｒｉａｌ Ｒａｄｉｏ Ａｃｃｅｓｓ Ｎｅｔｗｏｒｋ、Ｅ−ＵＴＲＡＮ )装置であってもよい。
【００５４】
無線通信システム１００は、アクセスネットワークデバイス１１０のカバレージ内に配置された少なくとも１つの端末デバイス１２０をさらに含む。端末デバイス１２０は、移動型であってもよいし、固定型であってもよい。任意選択で、端末デバイス１２０は、アクセス端末、ユーザ機器( Ｕｓｅｒ Ｅｑｕｉｐｍｅｎｔ、ＵＥ )、ユーザ装置、ユーザ局、移動局、モバイル、リモート局、リモート端末、モバイル機器、ユーザ端末、無線通信機器、ユーザエージェント、またはユーザ装置を指し得る。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来開発されるＰＬＭＮにおける端末デバイスなどであり得る。
【００５５】
無線通信システム１００は、アクセスネットワークデバイスと通信するコアネットワークデバイス１３０をさらに含む。任意選択で、コアネットワークデバイス１３０は、アクセスおよびモビリティ管理機能( Ａｃｃｅｓｓ ａｎｄ Ｍｏｂｉｌｉｔｙ Ｍａｎａｇｅｍｅｎｔ Ｆｕｎｃｔｉｏｎ、ＡＭＦ )、およびさらにたとえばセッション管理機能( Ｓｅｓｓｉｏｎ Ｍａｎａｇｅｍｅｎｔ Ｆｕｎｃｔｉｏｎ、ＳＭＦ )など、５Ｇコアネットワークデバイスであり得る。任意選択で、コアネットワークデバイス１３０は、ＬＴＥネットワークのパケットコア発展( Ｅｖｏｌｖｅｄ Ｐａｃｋｅｔ Ｃｏｒｅ、ＥＰＣ )装置、例えば、セッション管理機能＋コアネットワークのデータゲートウェイ( Ｓｅｓｓｉｏｎ Ｍａｎａｇｅｍｅｎｔ Ｆｕｎｃｔｉｏｎ＋Ｃｏｒｅ Ｐａｃｋｅｔ Ｇａｔｅｗａｙ、ｓＭＦ＋ＰＧＷ−Ｃ )装置であってもよい。
【００５６】
なお、ＳＭＦ＋ＰＧＷ−Ｃは、ＳＭＦとＰＧＷ−Ｃが実現できる機能を同時に実現できることが理解される。
【００５７】
任意選択で、本発明の実施例において、ＡＭＦはＳＭＦと情報的に相互作用することができ、例えば、ＳＭＦはＡＭＦからいくつかの無線アクセスネットワーク側の情報を取得する。
【００５８】
任意選択で、本発明の実施例において、ＡＭＦは、無線アクセスネットワークからの切替識別子、または、端末デバイスに対するフロー/第１のキャリアの確立が成功しなかったことを示すメッセージを取得することができる。
【００５９】
図１には、１つのアクセスネットワークデバイス、１つのコアネットワークデバイス、及び２つの端末デバイスが例示的に示されているが、無線通信システム１００は、複数のアクセスネットワークデバイスを含んでもよく、各アクセスネットワークデバイスのカバレージ内に他の数の端末デバイスを含んでもよく、本願実施例は限定されない。
【００６０】
任意選択で、無線通信システム１００は、モビリティ管理エンティティ( Ｍｏｂｉｌｅ Ｍａｎａｇｅｍｅｎｔ Ｅｎｔｉｔｙ、ＭＭＥ )、統合データマネジメント( Ｕｎｉｆｉｅｄ Ｄａｔａ Ｍａｎａｇｅｍｅｎｔ、ＵＤＭ )、認証サーバ機能( Ａｕｔｈｅｎｔｉｃａｔｉｏｎ Ｓｅｒｖｅｒ Ｆｕｎｃｔｉｏｎ、ＡＵＳＦ )、ユーザプレーン機能( Ｕｓｅｒ Ｐｌａｎｅ Ｆｕｎｃｔｉｏｎ、ＵＰＦ )、シグナリングゲートウェイ( Ｓｉｇｎａｌｉｎｇ Ｇａｔｅｗａｙ、ＳＧＷ )などの他のネットワークエンティティをさらに含むことができ、本発明の実施例は、特に限定されない。
【００６１】
本明細書において、「システム」および「ネットワーク」という用語は、しばしば、本明細書において交換可能に使用されることが理解される。ここで、及び/又はとは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「/」の文字は、前後の関連オブジェクトが一種の「または」の関係であることを一般的に示す。
【００６２】
５Ｇ新規無線( Ｎｅｗ Ｒａｄｉｏ、ＮＲ )ネットワーク展開初期において、特定のシ−ン(例えば、ネットワーク輻輳、音声サービスが必要であるなど)において、５Ｇ ＮＲネットワークから４Ｇロングタームエボリューション( Ｌｏｎｇ Ｔｅｒｍ Ｅｖｏｌｕｔｉｏｎ、ＬＴＥ )ネットワークへ切り替えることがあるが、現在の段階では、５Ｇ ＮＲネットワークから４Ｇ ＬＴＥネットワークへ切り替えた後、どのように５Ｇ ＮＲネットワークに戻るかについては説明されておらず、したがって、５Ｇ ＮＲネットワークから４Ｇ ＬＴＥネットワークへの切り替えた後、５Ｇ ＮＲネットワークに迅速に戻ることができず、ユーザ体験に影響を及ぼす。
【００６３】
本発明の実施例は、上記の課題を解決するために、ネットワーク切替方法を提供する。
【００６４】
第１のサービスが完了し又は端末デバイスのサービスネットワークが前記第１のサービスをサポートしない場合、ネットワークデバイスにより該ネットワークデバイスのサービスネットワークを第１のネットワークから前記第２のネットワークへ切り替えるかどうかを決定する。そして、ユーザが５Ｇ ＮＲネットワークを最大限使用することを保証することができ、さらに、ユーザ体験を向上させることができる。
【００６５】
具体的に、図２に示すように、該ネットワーク切替方法は、以下のステップを含み、
２１０において、端末デバイスがチャネル品質状態情報を決定する。
【００６６】
２２０において、ネットワークデバイスが端末デバイスに該チャネル品質状態情報を送信する。
【００６７】
２３０において、ネットワークデバイスは、第１のサービスが完了し又は者端末デバイスのサービスネットワークが該第１のサービスをサポートしないと決定する場合、該チャネル品質状態情報に基づいて、該サービスネットワークを第１のネットワークから第２のネットワークへ切り替えるかどうかを決定する。
【００６８】
具体的に、ネットワークデバイスがチャネル品質状態情報を取得し、該チャネル品質状態情報は、第２のネットワークのチャネル品質を反映し、該ネットワークデバイスが第１のサービスが完了し又は者端末デバイスのサービスネットワークが該第１のサービスをサポートしないと決定する場合、該チャネル品質状態情報に基づいて、該サービスネットワークを第１のネットワークから該第２のネットワークへ切り替えるかどうかを決定する。
【００６９】
本発明の実施例では、異なるサービスを実行するためのベアラ/ストリームは、サービス品質( Ｑｕａｌｉｔｙ ｏｆ Ｓｅｒｖｉｃｅ、ＱｏＳ )識別子クラスによって区別され得る。例えば、ＬＴＥネットワークにおいて、サービス品質クラス識別子( ＱｏＳ Ｃｌａｓｓ Ｉｄｅｎｔｉｆｉｅｒ、ＱＣＩ )は、９つのクラス( １〜９ )に分けられ、ＱＣＩ＝１のベアラは、音声サービスを実行するために使用され、ＱＣＩ＝２のベアラは、ビデオサービスを実行するために使用され、ＱＣＩ＝９のベアラは、データサービスを実行するために使用される。また、例えば、ＮＲネットワークにおいて、５Ｇネットワークの下のサービス品質識別子( ５Ｇ Ｑｕａｌｉｔｙ ｏｆ Ｓｅｒｖｉｃｅ Ｉｄｅｎｔｉｆｉｅｒ、５ ＱＩ )は、複数のクラスに分けられ、例えば、５ ＱＩ＝１のストリームは、音声サービスを実行する。
【００７０】
つまり、本発明の実施例の第１のサービスは、第２のキャリア上のサービス、第２のデータストリーム及び第２のサービス品質ＱｏＳストリームのいずれかである。
【００７１】
例えば、第１のサービスは、音声サービスを実行するための５ ＱＩ＝１ストリームであっても良い。
【００７２】
なお、本発明の実施例においてネットワークを切り替えるかどうかを決定するネットワークデバイスは、アクセスネットワークデバイスであっても良い。
【００７３】
なお、本発明の実施例に係るネットワーク切替方法は、第１のサービスが完了した場合、又は端末デバイスのサービスネットワークが第１のサービスをサポートしていない場合に適用可能であることが理解され、図３を参照して本発明の実施例に係る適用シーンを例示的に説明する。
【００７４】
図３は、本発明の実施例に係るＲＡＴ / ＥＰＳ切替のフローを示す図である。ここで、ＥＰＳは、発展型ＵＭＴＳ地上無線アクセスネットワーク( Ｅｖｏｌｖｅｄ ＵＭＴＳ Ｔｅｒｒｅｓｔｒｉａｌ Ｒａｄｉｏ Ａｃｃｅｓｓ Ｎｅｔｗｏｒｋ、Ｅ−ＵＴＲＡＮ )とＥＰＣとの総称であり、５ ＧＳは、ＮＲネットワークのコアネットワーク( ５Ｇ Ｃｏｒｅ、５ ＧＣ )と５Ｇ無線アクセスネットワークとの総称である。
【００７５】
図３に示されるように、無線アクセス技術( Ｒａｄｉｏ Ａｃｃｅｓｓ Ｔｅｃｈｎｏｌｏｇｙ、ＲＡＴ ) / ＥＰＳ切替フローは、以下のステップを含む。
【００７６】
３１０において、端末デバイスは、情報管理システム( Ｉｎｆｏｒｍａｔｉｏｎ Ｍａｎａｇｅｍｅｎｔ Ｓｙｓｔｅｍ、ＩＭＳ )に対してセッション要求を送信する。
【００７７】
３２０において、ＩＭＳは、ＩＭＳ上で音声およびビデオ（Ｖｏｉｃｅ ＆ ｖｉｄｅｏ ｏｖｅｒ ＩＭＳ、ＶｏＩＭＳ）を確立することをポリシー課金および規則機能( Ｐｏｌｉｃｙ ｃｈａｒｇｉｎｇ ａｎｄ ｒｕｌｅｓ ｆｕｎｃｔｉｏｎ、ＰＣＲＦ )に要求する。
【００７８】
３３０において、ＰＣＲＦは、５ＱＩ＝１ストリーム生成要求をＰＧＷ−Ｃ ＋ ＳＭＦに送信する。
【００７９】
３４０において、ＰＧＷ−Ｃ ＋ ＳＭＦは、５ＱＩ＝１ストリームを確立する。
【００８０】
３５０において、ＰＧＷ−Ｃ ＋ ＳＭＦは、５ＱＩ＝１ストリーム生成要求をＡＭＦに送信する。
【００８１】
３６０において、ＡＭＦは、ＮＧ ＲＡＮに５ＱＩ＝１ストリーム生成要求を送信する。
【００８２】
３７０ａにおいて、ＮＧ ＲＡＮはモビリティ管理機能( ＡＭＦ )に応答メッセージを送信する。
【００８３】
３７０ｂにおいて、ＡＭＦがＰＧＷ−Ｃ+ＳＭＦに応答メッセージを送信する。
【００８４】
３８０において、進化型ＵＭＴＳ地上無線アクセスネットワーク( Ｅｖｏｌｖｅｄ ＵＭＴＳ Ｔｅｒｒｅｓｔｒｉａｌ Ｒａｄｉｏ Ａｃｃｅｓｓ Ｎｅｔｗｏｒｋ、Ｅ−ＵＴＲＡＮ )と端末デバイスとの間でチャネル品質を測定する。
【００８５】
３９０ａにおいて、ＲＡＴ切替をトリガーする。
【００８６】
３９０ｂにおいて、５ＧＳ->ＥＰＳ切替をトリガーする。
【００８７】
３１１０において、ＶｏＬＴＥ(Ｖｏｉｃｅ ｏｖｅｒ ＬＴＥ)コール設定である。ここで、ＶｏＬＴＥはＩＭＳに基づく音声サービスである。
【００８８】
３１２０において、ＩＭＳは端末デバイスに要求応答を送信する。
【００８９】
切替の過程で、３つの状況が生じる。
【００９０】
１) ５ＧＣは変わらず、ＲＡＴは切替手順においてＡＭＦは変化しない( ｗｉｔｈｏｕｔ ＡＭＦ Ｒｅｌｏｃａｔｉｏｎ )。
【００９１】
この場合、ＮＧ−ＲＡＮは、３７０ ａにおいて、ＡＭＦに拒否（ｒｅｊｅｃｔ）指示を送信し、このｒｅｊｅｃｔがハンドオーバ( Ｈａｎｄ Ｏｖｅｒ、ＨＯ )により引き起こすことを示す。ＨＯが完了した後、ＱＣＩ＝１ベアラの確立はＡＭＦによって直ちにトリガされる。
【００９２】
２) ５ ＧＣは変わらず、ＲＡＴは切替中にＡＭＦが変化した( Ｗｉｔｈ ＡＭＦ Ｒｅｌｏｃａｔｉｏｎ )。
【００９３】
この場合、ＮＧ−ＲＡＮは、３７０ ａにおいて、ｒｅｊｅｃｔ指示をＡＭＦに送信し、このｒｅｊｅｃｔがＨＯが進行中であることによるものであることを示す。ＡＭＦが変化したとき、ＡＭＦは、ｒｅｊｅｃｔ指示をＳＭＦに送信し、先ほどＳＭＦが送信した５ ＱＩ＝１ストリームがＨＯが進行中であるため確立に成功しないことを示す。ＨＯが完了した後、ＱＣＩ＝１ベアラの確立は、ＳＭＦによって直ちにトリガされる。
【００９４】
３) ５ ＧＣ- > ＥＰＣ切替、ＲＡＴはＮＲ- > ＬＴＥによっても切り替えられる( ＥＰＳ Ｆａｌｌｂａｃｋ )。
【００９５】
この場合、ＳＭＦは、システム切り替えプロセスにおいてＳＭＦとＰＧＷ−Ｃとを組み合わせたモジュール(一般にＳＭＦ＋ＰＧＷ−Ｃと呼ばれる)であり、システム切り替えが完了した直後にＱＣＩ＝１ベアラ確立をトリガするために用いられる。
【００９６】
本発明の実施例において、端末デバイスは、ＶｏＬＴＥ音声の終了後、音声を確立するために５Ｇ〜４Ｇの切替を行うＵＥに対して、４Ｇネットワーク上で音声が終了した後に５Ｇに戻るか否かをチャネル品質状態情報により判断できる。なお、本発明の実施例の方法は、図３に示されるシーンに限定されない。例えば、本発明の実施形態のネットワーク切替方法は、ＶｏＩＭＳがトリガされたときに端末デバイスが５Ｇから４Ｇに切り替えるか否かのシーンにも適用できる。
【００９７】
なお、本発明の実施例におけるチャネル品質状態情報は、少なくとも一つのネットワークのチャネル品質を反映するために使用され得る。例えば、チャネル品質状態情報は、第２のネットワークのチャネル品質を反映するために使用され得る。
【００９８】
以下、本発明の実施例におけるチャネル品質状態情報を生成する。
【００９９】
ある実施例において、該チャネル品質状態情報が該端末デバイスにより送信された測定結果レポートである。
【０１００】
任意選択で、該ネットワークデバイスが該端末デバイスにより送信された測定結果レポートを受信する前に、該ネットワークデバイスが該端末デバイスに解放コマンドを送信し、該解放コマンドは、該端末デバイスが該第１のサービスを解放するように指示し、該ネットワークデバイスは、該端末デバイスにより送信された該解放コマンドの応答メッセージを取得し、該応答メッセージが該測定結果レポートを含む。
【０１０１】
なお、本発明の実施例は、ネットワークデバイスが端末デバイスにより送信された測定結果レポートを受信する方式を限定しない。
【０１０２】
例えば、該ネットワークデバイスは、該端末デバイスにより送信された該測定結果レポートを周期的に受信しても良い。
【０１０３】
また、例えば、該ネットワークデバイスは、特定の時間ユニットにおいて、該端末デバイスにより送信された該測定結果レポートを受信しても良い。
【０１０４】
また、例えば、該端末デバイスが該測定結果レポートを送信する回数は、固定の回数である。
【０１０５】
さらに、該ネットワークデバイスは、該端末デバイスにより送信された測定結果レポートを受信する前に、該端末デバイスに構成情報を送信しても良く、該構成情報は、該測定結果レポートの送信周期、回数及び特定の時間ユニットのうちの少なくとも１つを含む。
【０１０６】
これにより、該ネットワークデバイスは、該指示情報に基づいて、該測定結果レポートを受信する。
【０１０７】
任意選択で、本発明の実施例において、該ネットワークデバイスは、該端末デバイスにより送信された測定結果レポートを受信する前に、該端末デバイスに第１の指示情報を送信しても良く、該第１の指示情報は、該端末デバイスが該ネットワークデバイスに該測定結果レポートを送信するように指示する。
【０１０８】
例えば、該ネットワークデバイスは、該端末デバイスに無線リソース制御（Ｒａｄｉｏ Ｒｅｓｏｕｒｃｅ Ｃｏｎｔｒｏｌ、ＲＲＣ）シグナリングを送信しても良く、該ＲＲＣシグナリングが該第１の指示情報を含む。
【０１０９】
また、例えば、該ネットワークデバイスは、第１のキャリアにおいてデータを送信し又は受信し、該第１のキャリアを利用して該端末デバイスが該ネットワークデバイスに測定結果レポートを送信するように指示する。
【０１１０】
また、例えば、該ネットワークデバイスは、第１のサービス品質（Ｑｕａｌｉｔｙ ｏｆ Ｓｅｒｖｉｃｅ、ＱｏＳ）ストリーム又は第１のデータストリームを送受信し、該第１のＱｏＳストリーム又は第１のデータストリームを利用して該端末デバイスが該ネットワークデバイスに該測定結果レポートを送信するように指示する。
【０１１１】
また、例えば、該ネットワークデバイスは、該端末デバイスに解放コマンドを送信し、該解放コマンドは、該端末デバイスが該第１のサービスを解放するように指示し、該解放コマンドが該第１の指示情報を含む。
【０１１２】
なお、本発明の実施例は、該第１の指示情報で該端末デバイスが該ネットワークデバイスに該測定結果レポートを送信するように指示することを限定しない。例えば、本発明の実施例において該第１のサービスは、該端末デバイスが該ネットワークデバイスに該測定結果レポートを送信するようにトリガーしても良い。
【０１１３】
他の実施例において、該チャネル品質状態情報が該端末デバイスにより送信された第２の指示情報であり、該第２の指示情報は、該第２のネットワークが利用可能であることを示し、又は、該第２の指示情報は、該第２のネットワークが利用不可であることを示し、これにより、該ネットワークデバイスは、第１のサービスが完了し又は該サービスネットワークが該第１のサービスをサポートしないと決定する場合、該第２の指示情報に基づいて、端末デバイスのサービスネットワークを該第１のネットワークから該第２のネットワークへ切り替えるかどうかを決定する。
【０１１４】
他の実施例において、該ネットワークデバイスは、候補ネットワークから該チャネル品質状態情報を取得し、該候補ネットワークが該第２のネットワークを含む。
【０１１５】
任意選択で、該候補ネットワークは、端末デバイスの上り信号を介して該チャネル品質状態情報を取得する。
【０１１６】
任意選択で、該候補ネットワークは、該ネットワークデバイスの所在のネットワークと直接又は間接のインターフェースを有するネットワークである。
【０１１７】
任意選択で、該チャネル品質状態情報は、候補ネットワークのチャネル品質状態情報を含む。
【０１１８】
なお、本発明の実施例に係るネットワーク切替方法は、端末デバイスのサービスネットワークの切り替えが必要な場合に、チャネル品質状態情報により切り替えを行うか否かを決定する。なお、本発明の実施例におけるチャネル品質状態情報は、第１のサービスが一定の条件を満たす場合に、端末デバイスのサービスネットワークを切り替えるか否かを判断するための情報である。すなわち、ネットワークデバイスは、判断を行う前に、事前にこのチャネル品質状態情報を取得しておく必要がある。
【０１１９】
図４は本発明の実施例におけるネットワークデバイスのブロック図である。
【０１２０】
具体的に、図４に示すように、該ネットワークデバイス４００は、送受信ユニット４１０と処理ユニット４２０を含み、
送受信ユニット４１０は、チャネル品質状態情報を取得するように構成され、該チャネル品質状態情報は、第２のネットワークのチャネル品質を反映し、処理ユニット４２０は、第１のサービスが完了し又は者端末デバイスのサービスネットワークが該第１のサービスをサポートしないと決定する場合、該チャネル品質状態情報に基づいて、該サービスネットワークを第１のネットワークから該第２のネットワークへ切り替えるかどうかを決定するように構成される。
【０１２１】
任意選択で、該チャネル品質状態情報は、該端末デバイスにより送信された測定結果レポートである。
【０１２２】
任意選択で、該送受信ユニット４１０は、具体的に、該端末デバイスにより送信された測定結果レポートを受信する前に、該端末デバイスに解放コマンドを送信し、該解放コマンドは、該端末デバイスが該第１のサービスを解放するように指示し、該端末デバイスにより送信された該解放コマンドの応答メッセージを取得し、該応答メッセージが該測定結果レポートを含む。
【０１２３】
任意選択で、該送受信ユニット４１０は、さらに、具体的に、該端末デバイスにより送信された該測定結果レポートを周期的に受信するように構成される。
【０１２４】
任意選択で、該送受信ユニット４１０は、さらに、具体的に、特定の時間ユニットにおいて、該端末デバイスにより送信された該測定結果レポートを受信するように構成される。
【０１２５】
任意選択で、該端末デバイスが該測定結果レポート送信する回数は、固定の回数である。
【０１２６】
任意選択で、該送受信ユニット４１０は、さらに、具体的に、該端末デバイスにより送信された測定結果レポートを受信する前に、該端末デバイスに構成情報を送信し、該構成情報は、該測定結果レポートの送信周期、回数及び特定の時間ユニットのうちの少なくとも１つを含み、該指示情報に基づいて、該測定結果レポートを受信するように構成される。
【０１２７】
任意選択で、該送受信ユニット４１０は、さらに、
該端末デバイスにより送信された測定結果レポートを受信する前に、該ネットワークデバイスが該端末デバイスに第１の指示情報を送信するように構成され、該第１の指示情報は、該端末デバイスが該ネットワークデバイスに該測定結果レポートを送信するように指示する。
【０１２８】
任意選択で、該送受信ユニット４１０は、具体的に、該端末デバイスに無線リソース制御ＲＲＣシグナリングを送信するように構成され、該ＲＲＣシグナリングが該第１の指示情報を含む。
【０１２９】
任意選択で、該送受信ユニット４１０は、具体的に、第１のキャリアにおいてデータを送信し又は受信し、該第１のキャリアを利用して該端末デバイスが該ネットワークデバイスに測定結果レポートを送信するように指示し、又は、第１のサービス品質ＱｏＳストリーム又は第１のデータストリームを送信し又は受信し、該第１のＱｏＳストリーム又は第１のデータストリームを利用して該端末デバイスが該ネットワークデバイスに該測定結果レポートを送信するように指示する。
【０１３０】
任意選択で、該送受信ユニット４１０は、具体的に、該端末デバイスに解放コマンドを送信するように構成され、該解放コマンドが該端末デバイスが該第１のサービスを解放するように指示し、該解放コマンドが該第１の指示情報を含む。
【０１３１】
任意選択で、該第１のサービスは、該端末デバイスが該ネットワークデバイスに該測定結果レポート送信するようにトリガーする。
【０１３２】
任意選択で、該チャネル品質状態情報が該端末デバイスにより送信された第２の指示情報であり、該第２の指示情報は、該第２のネットワークが利用可能であることを示し、又は、該第２の指示情報は、該第２のネットワークが利用不可であることを示し、ここで、該処理ユニット４２０は、具体的に、第１のサービスが完了し又は該サービスネットワークが該第１のサービスをサポートしないと決定する場合、該第２の指示情報に基づいて、端末デバイスのサービスネットワークを該第１のネットワークから該第２のネットワークへ切り替えるかどうかを決定するように構成される。
【０１３３】
任意選択で、該送受信ユニット４１０は、具体的に、候補ネットワークから該チャネル品質状態情報を取得するように構成され、該候補ネットワークが該第２のネットワークを含む。
【０１３４】
任意選択で、該候補ネットワークは、端末デバイスの上り信号を介して該チャネル品質状態情報を取得するように構成される。
【０１３５】
任意選択で、該候補ネットワークは、該ネットワークデバイスの所在のネットワークと直接又は間接のインターフェースを有するネットワークである。
【０１３６】
任意選択で、該チャネル品質状態情報は、候補ネットワークのチャネル品質状態情報を含む。
【０１３７】
なお、送受信ユニット４１０は、送受信機により実現してもよく、処理ユニット４２０は、プロセッサにより実現してもよい。図５に示すように、ネットワークデバイス５００は、プロセッサ５１０、送受信機５２０、及びメモリ５３０を含み得る。ここで、メモリ５３０は、指示情報を記憶するために使用されてもよく、プロセッサ５１０が実行するコード、命令などを記憶するために使用されてもよい。ネットワークデバイス５００の各構成要素は、バスシステムにより接続され、バスシステムは、データバスの他に、電源バス、制御バス、ステータス信号バスなどを含む。
【０１３８】
図５に示すネットワークデバイス５００は、図２及び図３に示す方法の実施例においてアクセスネットワークデバイスにより実施された様々なプロセスを実施することができ、重複を避けるためにここで説明を省略する。
【０１３９】
図６は本発明の実施例における端末デバイスのブロック図である。
【０１４０】
図６に示すように、該端末デバイス６００は、処理ユニット６１０と送受信ユニット６２０を含み、
処理ユニット６１０は、チャネル品質状態情報を決定するように構成され、該チャネル品質状態情報は、第２のネットワークのチャネル品質を反映し、送受信ユニット６２０は、該ネットワークデバイスが第１のサービスが完了し又は該端末デバイスのサービスネットワークが該第１のサービスをサポートしないと決定する場合、該チャネル品質状態情報に基づいて、該サービスネットワークを第１のネットワークから該第２のネットワークへ切り替えるかどうかを決定するように、ネットワークデバイスに該チャネル品質状態情報を送信するように構成される。
【０１４１】
任意選択で、該チャネル品質状態情報が該端末デバイスの測定結果レポートであり、ここで、該送受信ユニット６２０は、具体的に、該ネットワークデバイスに該測定結果レポートを送信するように構成される。
【０１４２】
任意選択で、該送受信ユニット６２０は、さらに、具体的に、該ネットワークデバイスに該測定結果レポートを送信する前に、ネットワークデバイスにより送信された解放コマンドを受信し、該解放コマンドが該端末デバイスが該第１のサービスを解放するように指示し、該ネットワークデバイスに該解放コマンドの応答メッセージを送信し、該応答メッセージが該測定結果レポートを含む。
【０１４３】
任意選択で、該送受信ユニット６２０は、さらに、具体的に、ネットワークデバイスに該測定結果レポートを周期的に送信するように構成される。
【０１４４】
任意選択で、該送受信ユニット６２０は、さらに、具体的に、特定の時間ユニットにおいて、該ネットワークデバイスに該測定結果レポートを送信するように構成される。
【０１４５】
任意選択で、該端末デバイスが該測定結果レポートを送信する回数は、固定の回数である。
【０１４６】
任意選択で、該送受信ユニット６２０は、さらに、具体的に、該ネットワークデバイスに該測定結果レポートを送信する前に、該ネットワークデバイスにより送信された構成情報を受信し、該構成情報は、該測定結果レポートの送信周期、回数及び特定の時間ユニットのうちの少なくとも１つを含み、該指示情報に基づいて、該ネットワークデバイスに該測定結果レポートを送信する。
【０１４７】
任意選択で、該送受信ユニット６２０は、さらに、該ネットワークデバイスに該測定結果レポートを送信する前に、該ネットワークデバイスにより送信された第１の指示情報を受信し、該第１の指示情報は、該端末デバイスが該ネットワークデバイスに該測定結果レポートを送信するように指示する。
【０１４８】
任意選択で、該送受信ユニット６２０は、具体的に、該ネットワークデバイスにより送信された無線リソース制御ＲＲＣシグナリングを受信し、該ＲＲＣシグナリングが該第１の指示情報を含む。
【０１４９】
任意選択で、該送受信ユニット６２０は、具体的に、第１のキャリアにおいてデータを送信し又は受信し、該第１のキャリアを利用して該端末デバイスが該ネットワークデバイスに該測定結果レポートを送信するように指示し、又は、第１のサービス品質ＱｏＳストリーム又は第１のデータストリームを送信し又は受信し、該第１のＱｏＳストリーム又は第１のデータストリームを利用して該端末デバイスが該ネットワークデバイスに該測定結果レポートを送信するように指示する。
【０１５０】
任意選択で、該送受信ユニット６２０は、具体的に、該ネットワークデバイスにより送信された解放コマンドを受信するように構成され、該解放コマンドが該端末デバイスが該第１のサービスを解放するように指示し、該解放コマンドが該第１の指示情報を含む。
【０１５１】
任意選択で、該送受信ユニット６２０は、具体的に、第２のサービスを開始する時、該第２のサービスのプロトコルにより該端末デバイスが該ネットワークデバイスに該測定結果レポートを送信するようにトリガーする。
【０１５２】
任意選択で、該処理ユニット６１０は、具体的に、第２の指示情報を生成するように構成され、該第２の指示情報は、該第２のネットワークが利用可能であることを示し、又は、該第２の指示情報は、該第２のネットワークが利用不可であることを示し、ここで、該送受信ユニット６２０は、具体的に、該ネットワークデバイスに該第２の指示情報を送信するように構成される。
【０１５３】
任意選択で、該処理ユニット６１０は、さらに、具体的に、該第２のネットワークのチャネル品質状態情報が第１の閾値以上である場合、該指示情報を生成し、又は、該第２のネットワークのステータスパケット誤り率が第２の閾値以下である場合、該指示情報を生成するように構成される。
【０１５４】
任意選択で、該処理ユニット６１０は、具体的に、候補ネットワークから該チャネル品質状態情報を取得し、該候補ネットワークが該第２のネットワークを含む。
【０１５５】
任意選択で、該候補ネットワークは、端末デバイスの上り信号を介して該チャネル品質状態情報を取得するように構成される。
【０１５６】
任意選択で、該候補ネットワークは、該ネットワークデバイスの所在のネットワークと直接又は間接のインターフェースを有するネットワークである。
【０１５７】
任意選択で、該チャネル品質状態情報は、候補ネットワークのチャネル品質状態情報を含む。
【０１５８】
任意選択で、該第１のサービスは、第２のキャリア上のサービス、第２のデータストリーム及び第２のサービス品質ＱｏＳストリームのいずれかである。
【０１５９】
なお、処理ユニット６１０はプロセッサにより実現され、送受信ユニット６２０は送受信機により実現されてもよい。図７に示すように、端末デバイス７００は、プロセッサ７１０、送受信機７２０、及びメモリ７３０を含む。ここで、メモリ７３０は、指示情報を記憶するために使用されてもよく、プロセッサ７１０が実行するコード、命令などを記憶するために使用されてもよい。端末デバイス７００の各構成要素は、バスシステムにより接続され、バスシステムは、データバスの他に、電源バス、制御バス、ステータス信号バス等を含む。
【０１６０】
図７に示す端末デバイス７００は、上述の図２及び図３の方法の実施例における端末デバイスによって実行される各処理を実行することができ、重複を避けるためにここで説明を省略する。
【０１６１】
なお、発明の実施例における方法の実施形態は、プロセッサに適用されてもよく、又はプロセッサによって実装されてもよい。
【０１６２】
実施において、本発明の実施例における方法の実施例のステップは、プロセッサにおけるハードウェアの集積論理回路またはソフトウェア形態の命令によって実行されてもよい。より具体的には、本発明の実施形態に関連して開示された方法のステップは、ハードウェアデコーディングプロセッサによって実行されることによって直接実施され得るか、または、デコーディングプロセッサ内のハードウェアおよびソフトウェアモジュールの組み合わせによって実行されることによって実施され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当該技術分野における成熟した記憶媒体内に配置され得る。この記憶媒体は、メモリに位置し、プロセッサは、メモリ内の情報を読み取り、ハードウェアとともに上述した方法のステップを実行する。
【０１６３】
ここで、プロセッサは、信号の処理能力を有し、本発明の実施形態に開示された方法、ステップ、および論理ブロック図を実施または実行することができる集積回路チップであり得る。例えば、上記のプロセッサは、汎用プロセッサ、デジタル信号プロセッサ( ｄｉｇｉｔａｌ ｓｉｇｎａｌ ｐｒｏｃｅｓｓｏｒ、ＤＳＰ )、特定用途向け集積回路( ａｐｐｌｉｃａｔｉｏｎ ｓｐｅｃｉｆｉｃ ｉｎｔｅｇｒａｔｅｄ ｃｉｒｃｕｉｔ、ＡＳＩＣ )、既存のプログラマブルゲートアレイ( Ｆｉｅｌｄ ｐｒｏｇｒａｍｍａｂｌｅ ｇａｔｅ ａｒｒａｙ、ＦＰＧＡ )又は他のプログラマブル論理デバイス、トランジスタロジック、ディスクリートハードウェアコンポーネント等であり得る。また、汎用プロセッサはマイクロプロセッサであってもよく、プロセッサは汎用のプロセッサ等であればよい。
【０１６４】
また、本発明の実施形態において、メモリは、揮発性メモリまたは不揮発性メモリのいずれであってもよく、揮発性メモリと不揮発性メモリの両方を含んでもよい。ここで、不揮発性メモリは、リードオンリーメモリ( ｒｅａｄ−ｏｎｌｙ ｍｅｍｏｒｙ、ＲＯＭ )、プログラマブルリードオンリーメモリ( ｐｒｏｇｒａｍｍａｂｌｅ ＲＯＭ、ＰＲＯＭ )、消去可能プログラマブルリードオンリーメモリ( ｅｒａｓａｂｌｅ ＰＲＯＭ、ＥＰＲＯＭ )、電気的消去可能プログラマブルリードオンリーメモリ( ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( ｒａｎｄｏｍ ａｃｃｅｓｓ ｍｅｍｏｒｙ、ＲＡＭ )であってよい。上述のメモリは、限定ではなく例示的であるが、例えば、本発明の実施形態におけるメモリは、スタティックランダムアクセスメモリ( ｓｔａｔｉｃ ＲＡＭ、ＳＲＡＭ )、ダイナミックランダムアクセスメモリ( ｄｙｎａｍｉｃ ＲＡＭ、ＤＲＡＭ )、同期ダイナミックランダムアクセスメモリ( ｓｙｎｃｈｒｏｎｏｕｓ ＤＲＡＭ、ＳＤＲＡＭ )、デュアルデータレート同期ダイナミックランダムアクセスメモリ( ｄｏｕｂｌｅ ｄａｔａ ｒａｔｅ ＳＤＲＡＭ、ＤＤＲ ＳＤＲＡＭ )、拡張同期ダイナミックランダムアクセスメモリ( ｅｎｈａｎｃｅｄ ＳＤＲＡＭ、ＥＳＤＲＡＭ )、同期接続ダイナミックランダムアクセスメモリ( ｓｙｎｃｈ ｌｉｎｋ ＤＲＡＭ、ＳＬＤＲＡＭ )、及びダイレクトメモリバスランダムアクセスメモリ( Ｄｉｒｅｃｔ  Ｒａｍｂｕｓ  ＲＡＭ、ＤＲ ＲＡＭ )等であってもよいことを理解されたい。すなわち、本明細書に記載のシステム及び方法のメモリは、これら及び任意の他の適切なタイプのメモリを含むことを意図しているが、これらに限定されない。
【０１６５】
最後に、本発明の実施形態及び添付の特許請求の範囲で使用される用語は、特定の実施形態を説明する目的のためだけであり、本発明の実施形態を限定することを意図していないことに留意されたい。
【０１６６】
例えば、本発明の実施形態及び添付の特許請求の範囲で使用される単数形の「１つの」、「前記」、及び「該」は、文脈が他の意味を明確に示しない限り、複数形も含むことを意図している。
【０１６７】
また、例えば、文脈に応じて、本明細書で使用される「……で」という用語は、「もし」または「……の場合」または「決定に応答して」または「検出に応答して」と解釈され得る。同様に、文脈に応じて、「決定された場合」または「検出された場合(条件または事象の提示された場合)」という句は、「決定された場合」または「決定された場合に応答する」または「検出された場合(条件または事象の提示された場合)」として解釈され得る。
【０１６８】
当業者は、本明細書に開示される実施形態に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用することができるが、そのような実施は、本発明の実施形態の範囲から逸脱するものと考えられるべきではない。
【０１６９】
当業者であれば、説明の便宜及び簡潔にするために、上記に説明されたシステム、装置及びユニットの特定の動作プロセスが、前述の方法の実施形態における対応するプロセスを参照してよく、ここでその説明が省略されることを理解するであろう。
【０１７０】
本明細書で提供されるいくつかの実施形態では、開示されるシステム、装置、および方法は、他の方法で実現されてもよいことが理解されるべきである。例えば、上記の装置の実施形態は、単に例示的なものであり、例えば、ユニットの分割は、１つの論理的機能の分割にすぎず、実際の実装では、別の分割方法があり得、例えば、複数のユニット又はコンポーネントが組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１７１】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、各手段の一部又は全部を、必要に応じて選択して、実施することもできる。
【０１７２】
また、本発明の実施の形態における各機能部は、１つの処理ユニットに集積されていてもよいし、各部は、物理的に単独で存在していてもよいし、２つ以上の部が１つの処理ユニットに集積されていてもよい。
【０１７３】
ソフトウェア機能単位で実現され、独立した製品として販売又は使用される場合、コンピュータ読み取り可能な記録媒体に格納されてもよい。このような理解に基づいて、本発明の実施形態の技術的思想の本質または従来技術に寄与する部分、または技術的思想の部分は、１つのコンピュータ装置(パーソナルコンピュータ、サーバ、またはネットワークデバイスなどであってもよい)に本発明の実施形態に係る方法のステップの全部または一部を実行させるための複数の命令を含む１つの記憶媒体に記憶されたソフトウェア製品の形態で具現化されてもよい。また、前記記憶媒体としては、Ｕ−ディスク、リムーバブルハードディスク、リードオンリメモリ、ランダムアクセスメモリ、磁気ディスク、光ディスク等のプログラムコードを記憶できる種々の媒体を用いることができる。
【０１７４】
以上、本発明の実施例を具体的に説明したが、本発明の実施例の保護範囲はこれに限定されるものではなく、本発明の実施例の保護範囲内で当業者であれば容易に変更または置換を想到できるものであり、それらも本発明の実施例の保護範囲に包含されるものである。したがって、本発明の実施形態の保護範囲は、特許請求の範囲の保護範囲を基準とするべきである。
【図１】
2021509546.tif 000003
【図２】
2021509546.tif 000004
【図３】
2021509546.tif 000005
【図４】
2021509546.tif 000006
【図５】
2021509546.tif 000007
【図６】
2021509546.tif 000008
【図７】
2021509546.tif 000009
【手続補正書】
【提出日】令和2年10月16日(2020.10.16)
【手続補正１】
【補正対象書類名】特許請求の範囲
【補正対象項目名】全文
【補正方法】変更
【補正の内容】
【特許請求の範囲】
【請求項１】
ネットワークデバイスがチャネル品質状態情報を取得することと、
前記ネットワークデバイスが、第１のサービスが完了し又は端末デバイスのサービスネットワークが前記第１のサービスをサポートしないと決定する場合、前記チャネル品質状態情報に基づいて、前記サービスネットワークを第１のネットワークから第２のネットワークへ切り替えるかどうかを決定することとを含み、
前記チャネル品質状態情報が前記第２のネットワークのチャネル品質を反映する
ことを特徴とするネットワーク切替方法。
【請求項２】
前記チャネル品質状態情報は、前記端末デバイスにより送信された測定結果レポートである
ことを特徴とする請求項１に記載のネットワーク切替方法。
【請求項３】
前記ネットワークデバイスが前記端末デバイスにより送信された測定結果レポートを受信する前に、前記方法は、さらに、
前記ネットワークデバイスが前記端末デバイスに解放コマンドを送信することを含み、前記解放コマンドが、前記端末デバイスが前記第１のサービスを解放するように指示し、
前記ネットワークデバイスが前記端末デバイスにより送信された測定結果レポートを受信することは、
前記ネットワークデバイスが前記端末デバイスにより送信された前記解放コマンドの応答メッセージを受信することを含み、前記応答メッセージが前記測定結果レポートを含む
ことを特徴とする請求項２に記載のネットワーク切替方法。
【請求項４】
前記ネットワークデバイスが前記端末デバイスにより送信された測定結果レポートを受信することは、
前記ネットワークデバイスが前記端末デバイスにより送信された前記測定結果レポートを周期的に受信することを含む
ことを特徴とする請求項２又は３に記載のネットワーク切替方法。
【請求項５】
前記ネットワークデバイスが前記端末デバイスにより送信された測定結果レポートを受信することは、
前記ネットワークデバイスが特定の時間ユニットにおいて、前記端末デバイスにより送信された前記測定結果レポートを受信することを含む
ことを特徴とする請求項２〜４のいずれか１項に記載のネットワーク切替方法。
【請求項６】
前記端末デバイスが前記測定結果レポートを送信する回数は、固定の回数である
ことを特徴とする請求項５に記載のネットワーク切替方法。
【請求項７】
前記ネットワークデバイスが前記端末デバイスにより送信された測定結果レポートを受信する前に、前記方法は、さらに、
前記ネットワークデバイスが前記端末デバイスに構成情報を送信することを含み、
前記構成情報が、前記測定結果レポートの送信周期、回数及び特定の時間ユニットのうちの少なくとも１つを含み、
前記ネットワークデバイスが前記端末デバイスにより送信された測定結果レポートを受信することは、
前記ネットワークデバイスが前記指示情報に基づいて、前記測定結果レポートを受信することを含む
ことを特徴とする請求項２〜６のいずれか１項に記載のネットワーク切替方法。
【請求項８】
前記ネットワークデバイスが前記端末デバイスにより送信された測定結果レポートを受信する前に、前記方法は、さらに、
前記ネットワークデバイスが前記端末デバイスに第１の指示情報を送信することを含み、前記第１の指示情報が、前記端末デバイスが前記ネットワークデバイスに前記測定結果レポートを送信するように指示する
ことを特徴とする請求項２〜７のいずれか１項に記載のネットワーク切替方法。
【請求項９】
前記ネットワークデバイスが前記端末デバイスに第１の指示情報を送信することは、
前記ネットワークデバイスが前記端末デバイスに無線リソース制御ＲＲＣシグナリングを送信することを含み、前記ＲＲＣシグナリングが前記第１の指示情報を含む
ことを特徴とする請求項８に記載のネットワーク切替方法。
【請求項１０】
前記ネットワークデバイスが前記端末デバイスに第１の指示情報を送信することは、
前記ネットワークデバイスが第１のキャリアにおいてデータを送信又は受信し、前記第１のキャリアを利用して前記端末デバイスが前記ネットワークデバイスに測定結果レポートを送信するように指示し、又は、
前記ネットワークデバイスが第１のサービス品質ＱｏＳストリーム又は第１のデータストリームを送信又は受信し、前記第１のＱｏＳストリーム又は第１のデータストリームを利用して前記端末デバイスが前記ネットワークデバイスに前記測定結果レポートを送信するように指示することを含む
ことを特徴とする請求項８に記載のネットワーク切替方法。
【請求項１１】
前記ネットワークデバイスが前記端末デバイスに第１の指示情報を送信することは、
前記ネットワークデバイスが前記端末デバイスに解放コマンドを送信することを含み、前記解放コマンドが前記端末デバイスが前記第１のサービスを解放するように指示し、前記解放コマンドが前記第１の指示情報を含む
ことを特徴とする請求項８に記載のネットワーク切替方法。
【請求項１２】
前記第１のサービスは、前記端末デバイスが前記ネットワークデバイスに前記測定結果レポートを送信するようにトリガーする
ことを特徴とする請求項２〜７のいずれか１項に記載のネットワーク切替方法。
【請求項１３】
前記チャネル品質状態情報が前記端末デバイスにより送信された第２の指示情報であり、前記第２の指示情報が、前記第２のネットワークが利用可能であることを示し、又は、前記第２の指示情報が、前記第２のネットワークが利用不可能であることを示し、
前記ネットワークデバイスが、第１のサービスが完了し又は前記サービスネットワークが前記第１のサービスをサポートしないと決定する場合、前記チャネル品質状態情報に基づいて、端末デバイスのサービスネットワークを第１のネットワークから前記第２のネットワークへ切り替えるかどうかを決定することは、
前記ネットワークデバイスが、第１のサービスが完了し又は前記サービスネットワークが前記第１のサービスをサポートしないと決定する場合、前記第２の指示情報に基づいて、端末デバイスのサービスネットワークを前記第１のネットワークから前記第２のネットワークへ切り替えるかどうかを決定することを含む
ことを特徴とする請求項１に記載のネットワーク切替方法。
【請求項１４】
前記ネットワークデバイスがチャネル品質状態情報を取得することは、
前記ネットワークデバイスが候補ネットワークから前記チャネル品質状態情報を取得することを含み、前記候補ネットワークが前記第２のネットワークを含む
ことを特徴とする請求項１に記載のネットワーク切替方法。
【請求項１５】
請求項１〜１４のいずれか１項に記載の方法のステップを実行するように構成される
ことを特徴とするネットワークデバイス。
【手続補正２】
【補正対象書類名】図面
【補正対象項目名】図２
【補正方法】変更
【補正の内容】
【図２】
2021509546.tif 000010
【国際調査報告】
2021509546.tif 000011
2021509546.tif 000012
2021509546.tif 000013
2021509546.tif 000014